(57)【特許請求の範囲】
【請求項１】
各々ＦＭ多重データを含む２以上のＦＭ変調信号を受信する受信機に於いて、
各々の前記ＦＭ多重データのタイミングでカウントするカウンタを有するカウント回路と、
を備え、受信されるＦＭ多重データのブロック同期または非同期の状態と、前記データ中の識別符号とに基づいて、受信されるＦＭ多重データに対応する前記カウント回路のカウンタをリセットすることを特徴とするＦＭ多重放送受信機の同期回路。
【請求項２】
前記カウント回路内の１つのカウンタの出力に基づいて、所定のＦＭ多重データのフレーム同期を検出することを特徴とする請求項１記載のＦＭ多重放送受信機の同期回路。
【請求項３】
前記カウント回路は、基準クロックをカウントし、受信データ中に含まれる識別符号に基づいてリセットされる第１及び第２カウンタとから成り、さらに、
前記ＦＭ変調信号の切り換えに応じて出力された制御信号に応じて、前記第１及び記第２カウンタの出力を切り替えて出力する第１切替え回路と、
該第１切替え回路の出力に基づいてブロック同期を検出するブロック同期検出回路と、
該ブロック同期検出回路の検出出力と前記識別符号とに応じてリセット出力を発生する第１リセット回路と、
前記制御信号により前記第１リセット回路のリセット出力を前記第１カウンタまたは前記第２カウンタの一方に出力する第２切替え回路と、
を備えることを特徴とする請求項１記載のＦＭ多重放送受信機の同期回路。
【請求項４】
前記第１カウンタの出力に基づいて、フレーム同期を検出するフレーム同期検出回路とを備えることを特徴とする請求項３記載のＦＭ多重放送受信機の同期回路。
【請求項５】
前記制御信号は前記ＦＭ変調信号の受信周波数の変更に応じて切り替えることを特徴とする請求項１または３記載のＦＭ多重放送受信機の同期回路。
【請求項６】
前記基準クロックは前記ＦＭ多重データのビットレートと同一周波数またはその整数倍の周波数であることを特徴とする請求項３記載のＦＭ多重放送受信機の同期回路。
【請求項７】
前記ブロック同期検出回路は前方及び後方保護を行う保護数カウンタを有し、前記制御信号に応じて前記保護数カウンタをリセットすることを特徴とする請求項３または５記載のＦＭ多重放送受信機の同期回路。
【発明の詳細な説明】
【０００１】
【発明の属する技術分野】
本発明は、各々ＦＭ多重データを含む２以上のＦＭ変調信号を受信するＦＭ多重放送受信装置の同期回路に関する。
【０００２】
【従来の技術】
近年、例えば自動車走行中、相対的及び絶対的な測定方法により自分自身の位置を検出し、自分自身が地図上のどの位置にいるか知り得るカーナビゲーション機器が広く普及している。カーナビゲーション機器においては、位置の測位手段として自立航法と称されるジャイロセンサ、方位センサ及び車速信号等により起点からの相対位置を計算する方法と、電波航法と称せられるＧＰＳ(Global Positioning System)衛星を利用して絶対位置を算出する方法とがある。
【０００３】
さらに、カーナビゲーション機器上で、上記の如く自分自身の地図上の位置を検出するだけでなく、道路交通情報も得られるようになった。即ち、上記ＦＭ多重放送による道路交通情報データサービス（以下、ＶＩＣＳデータという）が１９９６年から開始され、カーナビゲーション機器はこのＶＩＣＳデータサービスを基に、地図上に渋滞情報やその他の道路情報（通行止めや工事区間など）等を表示することができる。
【０００４】
ところで、ＧＰＳ衛星による絶対位置算出は、衛星の時計誤差、衛星の軌道誤差、電離層遅延誤差等及び犯罪への利用などへの対策のための意図的な精度劣化により、最大１００ｍの誤差が存在する。この誤差を減らすためにＤ−ＧＰＳ（Differential−ＧＰＳ）方式が考え出された。これは、その絶対位置が正確に分かっている基準放送基地局でＧＰＳ電波を受信し、絶対位置とＧＰＳ電波から計算された位置とから誤差を検出し、この誤差情報データを放送電波を使ってカーナビゲーション機器に送り、カーナビゲーション機器では誤差情報データを使用してより正確な位置情報が求められる。上記の如きＦＭ多重放送によるＤ−ＧＰＳ（誤差情報）データサービスが１９９７年から開始された。このサービスにより、測位誤差を数メートルで位置を測定することができる。
【０００５】
よって、カーナビゲーション機器のＦＭ多重放送受信機は、ＶＩＣＳデータとＤ−ＧＰＳデータを得る場合、ＶＩＣＳ放送局とＤ−ＧＰＳ放送局との両方を切り替えて受信する必要が有った。
図４は、一般的なＦＭ多重放送受信機を示すブロック図である。図４の受信機は従来より良く知られているので、説明を省略する。また、図５は図４のブロック／フレーム同期回路の具体回路を示す。
【０００６】
図５において、データカウンタ１０１はブロック同期用の２８８進カウンタであり、１６ＫＨｚのシステムクロック（ＦＭ多重データのビットレートと同一周波数のクロック）をカウントし、１ブロック毎に即ち１８ｍｓ間隔でパルスＣ１を出力する。１０５は受信データからＢＩＣを検出するＢＩＣ検出回路である。尚、後述するようにブロック同期が非同期の期間中ＢＩＣ検出回路１０５でＢＩＣ（ブロック識別符号）が検出されるとリセットされる。
【０００７】
１０６は、データカウンタ１０１の出力パルスＣ１とＢＩＣ検出回路１０５の出力パルスＢＰの発生タイミングを比較し、タイミングの一致または不一致を検出する検出回路であり、パルスＣ１及びＢＰのタイミングが一致すると一致パルスＰ１が出力され、逆にパルスＣ１及びＢＰのタイミングが不一致であると不一致パルスＰ２が出力される。１０７は一致パルスＰ１が連続して所定回数Ｍ（後方保護数Ｍ）だけカウントされるとブロック同期が確立したことを示す「１」なる出力ＢＬを出力し、不一致パルスＰ２が連続して所定回数Ｎ（前方保護数Ｎ）だけカウントされるとブロック同期が外れたことを示す「０」の出力ＢＬを出力する同期判定保護回路である。
【０００８】
１０９は検出されたＢＩＣの変化点を検出するＢＩＣ変化点検出回路であり、例えば図６の如くフレームが構成されるＦＭ多重データでは、ＢＩＣ１→ＢＩＣ３、ＢＩＣ４→ＢＩＣ２、ＢＩＣ２→ＢＩＣ３、ＢＩＣ４→ＢＩＣ１の各変化点を検出する。１１０はフレーム同期用の２７２進カウンタであり、データカウンタ１０１のパルスＣ１をカウントすることによりブロック数のカウントするブロックカウンタである。１１１はＢＩＣ変化点検出回路１０９で検出した変化点と、ブロックカウンタ１１０のカウント値に基づき計算される変化点を比較し、連続して所定回数Ｘ（後方保護数Ｘ）だけ一致するとフレーム同期が確立したことを示す「１」の出力ＦＬを発生し、連続して所定回数Ｙ（前方保護数Ｙ）だけ不一致するとフレーム同期が外れたことを示す「０」の出力ＦＬを発生するフレーム同期検出保護回路である。フレーム同期が非同期の場合には、所定のＢＩＣ変化点が検出されるとブロックカウンタ（１１０）は所定値にセットされ、また、フレーム同期検出保護回路１１１からの出力ＦＣＫはフレーム同期状態でブロックカウンタが２７２進カウントを終了すると発生するフレーム先頭信号である。
【０００９】
【発明が解決しようとする課題】
ところで、図４のＦＭ多重放送受信機において、現在受信中のＶＩＣＳ局のデータ受信中に、Ｄ−ＧＰＳデータを得ようとした場合、ＶＩＣＳ局から一旦Ｄ−ＧＰＳ局に受信周波数を切り替えるとともにブロック同期をＤ−ＧＰＳ局で行い、その後ＶＩＣＳ局に戻すという動作を行っていた。誤差情報を得るのに必要なＤ−ＧＰＳデータは２ブロックだけである。その為、Ｇ−ＤＰＳ局の受信中ＶＩＣＳデータを得ることができなくとも、図６の如きフレーム構成中の垂直パリティにより縦方向の誤り訂正を行うことで、Ｄ−ＧＰＳ局の受信期間に受信できなかったＶＩＣＳデータを復元することは可能である。
【００１０】
しかしながら、図５の従来回路ではＤ−ＧＰＳ局からＶＩＣＳ局に戻すと、ＶＩＣＳ局のフレーム同期がずれてしまい、ＶＩＣＳ局のフレーム同期が外れるという問題があった。この状態になると、Ｄ−ＧＰＳ局受信期間に受信できなかったＶＩＣＳデータを復元することだけでなく、ＶＩＣＳデータも復調することができなくなっていた。
【００１１】
次に、図７のタイミングチャートを参照して上記ＶＩＣＳデータのフレーム同期ずれについてさらに説明する。尚、ブロック同期回路の後方保護数をＭ＝２、前方保護数Ｎ＝２とし、フレーム同期回路の後方保護数Ｘ＝２、前方保護数Ｙ＝８とし、受信周波数のＦ１局をＶＩＣＳデータ放送局、Ｆ２局をＤ−ＧＰＳデータ放送局とする。
【００１２】
Ｄ−ＧＰＳ局Ｆ２では、連続して受信された２ブロック分のデータはそのブロックの横訂正のみで実用上十分なエラーレートを確保でき、Ｄ−ＧＰＳデータを復調再生することができる。従って、図７の期間Ｔ１２及びＴ１３に受信されるＤ−ＧＰＳ局Ｆ２からＤ−ＧＰＳデータを得るものとして、期間Ｔ７〜Ｔ１４の間Ｇ−ＤＰＳ局Ｆ２の受信周波数を切り替えるとする（図７ア）。また、ＶＩＣＳ局Ｆ１の送信データのタイミングはそのデータ中のＢＩＣを基準にして図示され（図７イ）、同様にＤ−ＧＰＳ局Ｆ２の送信データのタイミングはそのデータ中のＢＩＣを基準にして図示される（図７ウ）。このように期間Ｔ７〜Ｔ１４ではＧ−ＤＰＳ局Ｆ２のデータが８ブロック分が、また、その他の期間ではＶＩＣＳ局Ｆ１のデータが、図５のブロック／フレーム同期回路に入力される。そして、ＢＩＣ検出回路１０５におけるＢＩＣの検出タイミングは、ＶＩＣＳ局Ｆ１の場合図７イのタイミングに、Ｇ−ＤＰＳ局Ｆ２の場合図７ウのタイミングになる（図７エ）。
【００１３】
ブロック同期判定保護回路１０７は前方保護数Ｎ＝２、後方保護数Ｍ＝２に設定されているため、受信周波数を局Ｆ１からＦ２に切り替えると、Ｔ９で局Ｆ１のブロック同期が外れ、次のＴ１０で局Ｆ２のブロック同期が確立される。その為、出力ＢＬは、期間Ｔ９で０になり、Ｔ１０で１になる。そして、期間Ｔ１５で局Ｆ２からＦ１に受信周波数を戻すため、期間Ｔ１６で局Ｆ２のブロック同期が外れ、Ｔ１８で局Ｆ１のブロック同期が確立する。この間出力ＢＬは期間Ｔ１６で０になり、Ｔ１８で１になる。
【００１４】
データカウンタ１０１は期間Ｔ０以前でＶＩＣＳ局Ｆ１のデータタイミングでリセットされているとすると、期間Ｔ８まではＶＩＣＳ局Ｆ１のデータタイミングと同期し２８８カウントでリセットするように動作している。データカウンタ１０１はＢＬ＝０の場合にパルスＢＰによってリセットされるので、期間Ｔ９およびＴ１０でＶＩＣＳ局Ｆ１のブロック同期が外れ出力ＢＬが０となり、期間Ｔ９で受信されたＤ−ＧＰＳ局Ｆ２のＢＩＣによりリセット信号が発生し、従ってデータカウンタ１０１は２８８カウントする前にリセットされ、出力Ｃ１が出力されない。これと同様に、期間Ｔ１６およびＴ１７でもＤ−ＧＰＳ局Ｆ２のブロック同期が外れＢＬ＝０となるため、期間Ｔ１７で受信された局Ｆ１のＢＩＣによりリセット信号が発生し、データカウンタ１０１は２８８カウントする前にリセットされ、出力Ｃ１が出力されない。尚、図７中のデータカウンタ１０１の出力のノコギリ波形は、カウンタのカウント値の変化を示し、データタイミングに同期していると２８８カウントを終了すると０に戻るが、リセット信号が発生すると２８８カウントする前に０になることを示している。
【００１５】
よって、受信周波数の切り替え毎に、データカウンタ１０１の出力Ｃ１がデータタイミングに同期して発生しないので（図７キ）、ブロックカウンタ１１０にカウント不足が生じ（図７ク）、フレーム先頭信号（ＦＣＫ）が実際に送信されたフレームの先頭（図７中の縦の点線）とずれ（図７ケ）、その結果フレーム同期のためのブロックカウントがズレてフレーム同期が外れる。
【００１６】
【課題を解決するための手段】
本発明は、各々ＦＭ多重データを含む２以上のＦＭ変調信号を受信する受信機に於いて、各々の前記ＦＭ多重データのタイミングでカウントするカウンタを有するカウント回路と、を備え、受信されるＦＭ多重データのブロック同期または非同期の状態と、前記データ中の識別符号とに基づいて、受信されるＦＭ多重データに対応する前記カウント回路のカウンタをリセットすることを特徴とする。
【００１７】
また、前記カウント回路内の１つのカウンタの出力に基づいて、所定のＦＭ多重データのフレーム同期を検出することを特徴とする。
特に、前記カウント回路は、基準クロックをカウントし、受信データ中に含まれる識別符号に基づいてリセットされる第１及び第２カウンタとから成り、さらに、前記ＦＭ変調信号の切り換えに応じて出力された制御信号に応じて、前記第１及び記第２カウンタの出力を切り替えて出力する第１切替え回路と、該第１切替え回路の出力に基づいてブロック同期を検出するブロック同期検出回路と、該ブロック同期検出回路の検出出力と前記識別符号とに応じてリセット出力を発生する第１リセット回路と、前記制御信号により前記第１リセット回路のリセット出力を前記第１カウンタまたは前記第２カウンタの一方に出力する第２切替え回路と、を備えることを特徴とする。
【００１８】
さらに、前記第１カウンタの出力に基づいて、フレーム同期を検出するフレーム同期検出回路とを備えることを特徴とする。
またさらに、前記制御信号は前記ＦＭ変調信号の受信周波数の変更に応じて切り替えることを特徴とする。
さらにまた、前記基準クロックは前記ＦＭ多重データのビットレートと同一周波数またはその整数倍の周波数であることを特徴とする。
【００１９】
また、前記ブロック同期検出回路は前方及び後方保護を行う保護数カウンタを有し、前記制御信号に応じて前記保護数カウンタをリセットすることを特徴とする。
各々ＦＭ多重データを含む２以上のＦＭ変調信号を受信する受信機に於いて、各々の前記ＦＭ多重データに同期してカウントする２つのカウンタを備え、一方のカウンタから他方のカウンタに切り替わった場合、前記一方のカウンタは前の同期状態を保持することを特徴とする。
【００２０】
本発明によれば、上記の第１及び第２カウンタが、２つの多重データのタイミングでカウントでそれぞれカウントしており、それぞれのカウントがカウント動作を保持することになる。同期制御信号により、一方の多重データの受信期間第１カウンタの出力が選択され、他方の多重データの期間第２カウンタの出力が選択され、この出力に基づいてブロック同期が検出される。また、一方の多重データのフレーム同期検出を行う際、第１カウンタの出力によって常に行われている。その為、放送局を切り替えるごとに起因するブロック同期のミスカウントによるフレーム同期外れを防止できる。
【００２１】
【発明の実施の形態】
図１に本発明の実施の形態であるブロック／フレーム同期回路を示す。データカウンタ１０２はデータカウンタ１０１と同様なブロック同期用の２８８進カウンタであり、１６ＫＨｚのシステムクロックをカウントし、１ブロック毎に即ち１８ｍ秒間隔でパルスＣ２を発生する。尚、データカウンタ１０１と同様に、ブロック同期が非同期の期間中ＢＩＣ検出回路１０５でＢＩＣが検出されるとリセットされる。セレクタ１０３は制御信号入力ｓが１の場合出力端ａからデータカウンタ１０２に入力ｉｎを、制御信号入力ｓが０の場合出力端ｂからデータカウンタ１０１に入力ｉｎを切り替えて出力する。セレクタ１０４は制御信号入力ｓが１の場合入力ａ即ち出力パルスＣ２を選択し、制御信号入力ｓが０の場合入力ｂ即ち出力パルスＣ１を出力する。リセット信号発生回路１０８は同期判定保護回路１０７で非同期であると（ＢＬ＝０）と判定されたときにＢＩＣの検出に応じてリセット信号を発生し、リセット信号はセレクタ１０３を介して一方のデータカウンタに入力され、ＢＩＣ検出回路１０５とデータカウンタ１０１または１０２との初期同期をとる。そして、制御信号ＣＯＮＴは受信周波数の切り替えに応じて切り替わる信号であり、ＶＩＣＳ局の受信時には制御信号ＣＯＮＴは０となり、Ｄ−ＧＰＳ局受信時には制御信号ＣＯＮＴが１になる。この制御信号ＣＯＮＴによりセレクタ１０３及び１０４が制御される。
【００２２】
制御信号ＣＯＮＴが０の場合、従来のブロック及びフレーム同期回路の動作と同様になる。つまり、データカウンタ１０１の出力Ｃ１がＢＩＣ検出回路１０５の出力ＢＰに対する検出回路１０６における比較信号ＣＰになると共に、フレーム同期を検出するためのブロックカウンタ１１０のカウント信号となる。そして、ブロック同期が外れている間（ＢＬ＝０）ＢＩＣ検出出力ＢＰによりデータカウンタ１０１はリセットされ、ＶＩＣＳデータとデータカウンタ１０１のカウント動作との初期同期がとられる。よって、ブロック同期が最初から行われる。
【００２３】
一方、制御信号ＣＯＮＴが１の場合、データカウンタ１０２の出力Ｃ２がＢＩＣ検出回路１０５の出力ＢＰに対する検出回路１０６の比較信号ＣＰとなる。そして、ブロック同期が外れている間（ＢＬ＝０）ＢＩＣ検出出力ＢＰによりデータカウンタ１０２がリセットされ、Ｄ−ＧＰＳデータとデータカウンタ１０２のカウンタとの初期同期がとられる。
【００２４】
次に、図２のタイミングチャートを参照して図１の動作を説明する。尚、従来と同様に、ブロック同期回路の後方保護数をＭ＝２、前方保護数Ｎ＝２とし、フレーム同期回路の後方保護数Ｘ＝２、前方保護数Ｙ＝８とし、受信周波数のＦ１局をＶＩＣＳデータ放送局、Ｆ２局をＤ−ＧＰＳデータ放送局とする。Ｄ−ＧＰＳ局Ｆ２では、連続して受信された２ブロック分のデータはそのブロックの横訂正のみで実用上十分なエラーレートを確保でき、Ｄ−ＧＰＳデータを復調再生することができる。従って、図２の期間Ｔ１２及びＴ１３に受信されるＤ−ＧＰＳ局Ｆ２からＤ−ＧＰＳデータを得るものとして、期間Ｔ７〜Ｔ１４の間Ｇ−ＤＰＳ局Ｆ２の受信周波数を切り替えるとする（図２ア）。また、ＶＩＣＳ局Ｆ１の送信データのタイミングはそのデータ中のＢＩＣを基準にして図示され（図２ウ）、同様にＤ−ＧＰＳ局Ｆ２の送信データのタイミングはそのデータ中のＢＩＣを基準にして図示される（図２エ）。このように期間Ｔ７〜Ｔ１４ではＧ−ＤＰＳ局Ｆ２のデータが８ブロック分が、また、その他の期間ではＶＩＣＳ局Ｆ１のデータが、図１のブロック／フレーム同期回路に入力される。そして、ＢＩＣ検出回路１０５におけるＢＩＣの検出タイミングは、ＶＩＣＳ局Ｆ１の場合図２ウのタイミングに、Ｇ−ＤＰＳ局Ｆ２の場合図２エのタイミングになる（図２オ）。
【００２５】
データカウンタ１０１は制御信号ＣＯＮＴが０でかつ出力ＢＬが０（非同期の状態）の場合にリセットされるもので、本実施形態では期間Ｔ０以前にリセットされＶＩＣＳ局Ｆ１のデータタイミング１に同期してカウントしているとする。また、同様に、データカウンタ１０２も制御信号ＣＯＮＴが１でかつ出力ＢＬが０の場合にリセットされるもので、期間Ｔ０以前にリセットされＤ−ＧＰＳ局Ｆ２のデータタイミングに同期してカウントしているとする。図２キ及びクは、データカウンタ１０１及び１０２のノコギリ波形はそれぞれのカウント値の変化を示し、２８８カウントを終了すると０に戻る。
【００２６】
期間Ｔ７以前では、図１の回路は図５の従来例と同様な動作を行い、受信データはＶＩＣＳデータのタイミングである。また、データカウンタ１０１の出力Ｃ１が選択されており、この出力Ｃ１とＶＩＣＳデータのＢＩＣ検出タイミングＢＰとのタイミングが一致しており、同期検出保護回路１０７の出力ＢＬは同期状態を示す１になっている。また、データカウンタ１０１の出力Ｃ１はブロックカウンタ１１０に入力され、正確なフレーム同期の検出が行われている。この期間では、データカウンタ１０２はＤ−ＧＰＳデータに同期してカウントしている。
【００２７】
期間Ｔ７において、受信周波数がＶＩＣＳ局Ｆ１からＤ−ＧＰＳ局Ｆ２に切り替わると、図２オの受信データはＤ−ＧＰＳデータのタイミングに替わる。制御信号ＣＯＮＴによりデータカウンタ１０２の出力Ｃ２が選択され、ＢＩＣ検出回路１０５からＤ−ＧＰＳデータ中のＢＩＣの変化点に対応した出力ＢＰが出力される（図２オ）。データカウンタ１０２はＤ−ＧＰＳデータに同期しているので、検出回路１０６において出力Ｃ２及びＢＬのタイミングは一致し、出力ＢＬは引き続き同期状態を示す１になる（図２カの局Ｆ２期間）。出力ＢＬによりリセット信号発生回路１０８からのリセット信号の発生は禁止され、データカウンタ１０２はリセットされずそのままＤ−ＧＰＳデータに同期してカウントする（図２ク）。その後、期間Ｔ８〜Ｔ１３の間、データカウンタ１０２の出力Ｃ２及び出力ＢＰのタイミングが一致するので、出力ＢＬは１を維持される。ところで、期間Ｔ７からＴ１４の間、リセット信号発生回路１０８はデータカウンタ１０２のリセット端子Ｒに接続されており、データカウンタ１０１はカウント途中でリセットされることはないので、データカウンタ１０１はＶＩＣＳデータに同期したカウントが続けられ、出力Ｃ１に基づいてフレーム同期の検出が続けられている。よって、図２サの如くブロックカウンタ１１０にカウント不足は生じない。
【００２８】
その後、期間Ｔ１４において、受信周波数がＤ−ＧＰＳ局Ｆ２からＶＩＣＳ局Ｆ１に戻ると、図２オの受信データはＶＩＣＳデータのタイミングに替わる。制御信号ＣＯＮＴが０になり、データカウンタ１０１の出力Ｃ１が選択され、ＢＩＣ検出回路１０５からＶＩＣＳデータ中のＢＩＣの変化点に対応した出力ＢＰが出力される（図２オ）。データカウンタ１０１はＶＩＣＳデータに同期しているので、検出回路１０６において出力Ｃ１及びＢＬのタイミングは一致し、出力ＢＬは引き続き同期状態を示す１を保つ（図２カ）。出力ＢＬによりリセット信号発生回路１０８からのリセット信号の禁止が維持され、データカウンタ１０１はリセットされずそのままＶＩＣＳデータに同期してカウントする（図２キ）。期間Ｔ１４以降でも、上述のようにデータカウンタ１０１は、カウント途中でリセットされることはなく、ＶＩＣＳデータに同期するので、出力Ｃ１に基づいてカウント不足することなくブロックカウンタ１１０のカウントが続けられる（図２コ及びサ）。よって、ブロックカウンタ１１０はフレームに同期したカウントが行われ、図２サの如くフレームの先頭に同期したフレーム先頭信号ＦＣＫをフレーム同期検出保護回路１１１から出力させることができる。
【００２９】
また、期間Ｔ１４以降、データカウンタ１０２は、セレクタ１０３によりそのリセット端子Ｒが非導通となるので、リセットされることはない。その為、データカウンタ１０２はＤ−ＧＰＳデータに同期したカウントが続けられる（図２ク）。
従って、データカウンタ１０１及び１０２は、常時ＶＩＣＳデータ及びＤ−ＧＰＳデータのデータタイミングでそれぞれカウントし、途中のカウント値でリセットされることはない。これにより、データカウンタ１０１とデータカウンタ１０２が、一度局Ｆ１及びＦ２のデータタイミングに同期すれば受信されたデータ中のＢＩＣとセレクタ１０４の出力ＣＰとは常に一致し、前記ＢＩＣが前方保護数Ｎ以上に消失または誤検出されない限りは、ブロック同期は受信局をＦ１及びＦ２間で切り替えても外れることはない。これにより、フレーム先頭信号（ＦＣＫ）を実際に送信されてきた送信フレームの先頭と一致させる事ができ、従来回路で発生したフレーム同期のためのブロックカウントがズレてフレーム同期が外れてしまう不具合が解消される。
【００３０】
ところで、局Ｆ２の受信期間（Ｔ７〜Ｔ１４）にＢＩＣ変化点検出回路１０９へＤ−ＧＰＳ局Ｆ２のＢＩＣによる変化が入力されるが、フレーム同期検出保護回路１１１の前方保護数を前記期間中に受信されるデータ数より大きくすれば、局Ｆ１でのフレーム同期が外れることはない。
図３はブロック同期判定保護回路１０７の詳細回路図であり、セレクタ３０１はＢＩＣ検出時のタイミング検出回路１０６の一致パルスＰ１または不一致パルスＰ２を切り替えて出力し、ブロック同期が同期状態（ＢＬ＝１）の場合Ｐ２を、非同期状態（ＢＬ＝０）の場合はＰ１を選択して出力する。バイナリカウンタ３０２はパルスＰ１またはＰ２をクロックとし、一致した数または不一致した数をカウントするものであり、ブロック同期の同期中は不一致パルスＰ２をカウントし、非同期中は一致パルスＰ１をカウントする。リセットパルス発生回路３０３はバイナリカウンタ３０２をリセットするものであって、同期中に一致パルスＰ１が出力された場合及び非同期中に不一致パルスＰ２が出力した場合さらに制御信号ＣＯＮＴが変化した場合に、バイナリカウンタ３０２をリセットする。前方保護数回路３０４には不一致パルスＰ２が連続して所定回数Ｎカウントされるとブロック同期が同期から非同期状態になることを検出するための前方保護数Ｎが設定される。後方保護数回路３０５には一致パルスＰ１が連続して所定回数Ｍカウントされると、ブロック同期が非同期から同期状態になることを検出するための後方保護数Ｍが設定される。セレクタ３０６はブロック同期が同期状態（ＢＬ＝１）の場合は前方保護数Ｎを、非同期状態（ＢＬ＝０）の場合後方保護数Ｍを切り替えて出力する。比較回路３０７はバイナリカウンタ３０２のカウント値ＢＯとセレクタ３０６の出力ＣＯである前方保護数Ｎまたは後方保護数Ｍとを比較し、前記カウント値ＢＯが大きい場合（ＢＯ≧ＣＯ）に出力ＣＭＰを１とし、前記カウント値ＢＯが小さい場合出力ＣＭＰを０とする比較回路、同期判定回路３０８は出力ＣＭＰと現在のＢＬ信号とにより同期判定を行う。つまり、ＢＬ＝１（同期）の期間中にＣＭＰ＝１となった場合ＢＬ＝０（非同期）とし、ＢＬ＝０（非同期）の期間中にＣＭＰ＝１となった場合ＢＬ＝１（同期）とする。
【００３１】
ここで、制御信号ＣＯＮＴがリセットパルス出力回路３０３に入力されるので、バイナリカウンタ３０２が制御信号ＣＯＮＴの切り替えごとにリセットされる。よって、受信局の切替え後に新たに一致または不一致数のカウントが初めから再開されることになり、受信局の切り替え直後のブロック同期の誤判定を防止することができる。
【００３２】
【発明の効果】
本発明によれば、それぞれの放送局の多重データのデータタイミングでカウントされるカウンタにより、現在受信中の放送局だけでなく受信状態にない放送局のブロック同期が維持される。特に、異なるデータタイミングの多重データを有する２つの放送局を単一のラジオ受信機で受信周波数を切り替えて多重データを受信する場合、受信周波数を一定期間だけ一方の放送局から他方の放送局に切り替えても、一方の放送局の多重データのフレーム同期を正確に維持することができる。
【図面の簡単な説明】
【図１】本発明の実施の形態を示すブロック図である。
【図２】図１の動作を説明するためのタイミングチャートである。
【図３】図１のブロック同期判定保護回路１０７の具体回路を示すブロック図である。
【図４】ＦＭ多重放送のラジオ受信機を示すブロック図である。
【図５】従来例を示すブロック図である。
【図６】ＦＭ多重データのフレーム構成を示す図である。
【図７】図５の動作を説明するためのタイミングチャートである。
【符号の説明】
１０１、１０２    データカウンタ
１０３、１０４    セレクタ
１０５            ＢＩＣ検出回路
１０６            検出回路
１０７            ブロック同期判定保護回路
１０８            リセット回路
１０９            ＢＩＣ変化点検出回路
１１０            ブロックカウンタ
１１１            フレーム同期検出回路
３０１、３０６    セレクタ
３０２            バイナリカウンタ
３０３            リセットパルス出力回路
３０４            前方保護数回路
３０５            後方保護数回路
３０６            同期判定回路
３０７            比較回路
【図１】
0003545194.tif 000002
【図２】
0003545194.tif 000003
【図３】
0003545194.tif 000004
【図４】
0003545194.tif 000005
【図５】
0003545194.tif 000006
【図６】
0003545194.tif 000007
【図７】
0003545194.tif 000008